(57)【要約】【課題】  排水経路中に排水弁より上流側に位置してリント捕獲装置とを設けたドラム式洗濯機において、排水経路中に溜まった水がリントフィルタを取り外すことによって外部に漏れ出ることを防止する。【解決手段】  本体箱１の左右両側板２１，２２のうち、例えば左側板２１側に寄せてリント捕獲装置１９を配設し、排水弁１８をリント捕獲装置１９よりも下方で且つリント捕獲装置１９から本体箱１の左右方向中央側に離して配設する。脱水時に水槽２および回転槽３からなる槽体４内に残った水が排水口５０から排水管路１７内に流れは入ると、その水は排水弁１８から上流側に溜まる。このとき、リント捕獲装置１９が排水弁１８よりも上にあり、しかも、両者を接続する排水管５５が比較的長いことから、水は排水管５５内に溜まり、リント捕獲装置１９内に浸入することはない。従って、リントフィルタを取り外す際に水が外部に漏れ出る恐れがない。【選択図】  図１
2006204717.tif 000002
【特許請求の範囲】
【請求項１】
本体箱の内部に、水槽と該水槽内に配設された回転槽とを有した槽体を、前記回転槽の回転中心軸線が水平または水平に対し傾くようにして配設し、前記槽体内の水を機外に排出する排水管路中に、前記槽体内の水の機外への排出を制御する排水制御手段と、該排水制御手段より上流側に位置されて前記排水管路を流れる水中からリントを捕獲するリントフィルタを着脱可能に有したリント捕獲装置とを設けたドラム式洗濯機において、
前記本体箱の内部下方に、前記リント捕獲装置を、前記本体箱の一側面近くに配設し、前記排水制御手段を、前記リント捕獲装置よりも下方で且つ前記リント捕獲装置から離れた位置に配設したことを特徴とするドラム式洗濯機。
【請求項２】
前記リント捕獲装置を、前記本体箱の側面であって、前記回転槽の径方向に対向する両側面のうちの一方側に寄せて配設し、前記排水制御手段を、前記リント捕獲装置よりも下方で且つ前記リント捕獲装置から前記回転槽の回転中心線側に離れた位置に配設したことを特徴とする請求項１記載のドラム式洗濯機。
【請求項３】
前記本体箱は、基台と、この基台上に配設された筺体とを備え、
前記フィルタ捕獲装置は、前記リントフィルタを着脱可能に収納したフィルタケースを備え、
前記基台は、周側面の一部において上部を切り欠くようにして形成した切欠部を有し、前記フィルタケースは前記リントフィルタの取り出し部分を前記切欠部内に位置させるようにして前記基台に固定されていることを特徴とする請求項１または２記載のドラム式洗濯機。
【請求項４】
前記排水管路に接続された前記水槽の排水口と前記フィルタ捕獲装置との間、および前記フィルタ捕獲装置と前記排水制御手段との間には、それぞれ落差があり、前者の落差の方が後者の落差よりも大きいことを特徴とする請求項１ないし３のいずれかに記載のドラム式洗濯機。
【請求項５】
前記フィルタ捕獲装置と前記排水制御手段とを接続する管路は、Ｌ字形であることを特徴とする請求項１ないし４のいずれかに記載のドラム式洗濯機。
【請求項６】
前記フィルタ捕獲装置は、前記リントフィルタの取り出し部部分の下端が前記本体箱の下端から９０ｍｍ以上の高さ位置となるように配設されていることを特徴とする請求項１ないし５のいずれかに記載のドラム式洗濯機。
【発明の詳細な説明】
【技術分野】
【０００１】
本発明は、槽体からの排水を機外に排出する排水管路中にリント捕獲装置と排水弁などの排水制御手段とを設けたドラム式洗濯機に関する。
【背景技術】
【０００２】
洗濯する際、洗濯物から糸屑などの所謂リントが生じ、排水時にこのリントをそのまま排出すると、排水を制御するための排水弁や排水ポンプなどを詰まらせる要因となる。このため、リントを捕獲する種々のリント捕獲装置が提案されているが、一般的なリント捕獲装置は、リントフィルタを有したフィルタケースを排水経路中の排水弁や排水ポンプよりも上流側に接続して排水中からリントを捕獲すると共に、捕獲したリントを除去する掃除が必要なことから、リントフィルタを機外から着脱できるように構成される（例えば、特許文献１参照）。
【特許文献１】特開２００２−２８２６１６号公報
【発明の開示】
【発明が解決しようとする課題】
【０００３】
特許文献１に記載された排水構成では、リント捕獲装置と排水ポンプとを同じ高さ位置に配設している。また、排水制御手段を排水ポンプではなく、排水弁としたものでは、多くはリント捕獲装置に排水弁を直結している。このように、リント捕獲装置と、排水弁や排水ポンプなどの排水制御手段とが同じ高さ位置に配設されていたり、直結されていたりすると、排水終了時（排水弁の閉時或いは排水ポンプの停止時）に槽体などに残った水が排水弁や排水ポンプまで流れてきてそこに溜まり始めると、その後から流れてくる水によって直ぐに水位が上昇してリント捕獲装置にまで水が浸入してくる。この状態で、リントフィルタの掃除のために、該リントフィルタをフィルタケースから取り外すと、リント捕獲装置に溜まった水が外部に漏れ出て床面を濡らすという問題を生ずる。
【０００４】
本発明は上記の事情に鑑みてなされたもので、その目的は、排水経路中に水が溜まっていたとしても、リントフィルタを掃除のために取り外した場合に外部に水が漏れ出ることを防止できるドラム式洗濯機を提供することにある。
【課題を解決するための手段】
【０００５】
上記目的を達成するために本発明は、本体箱の内部に、水槽と該水槽内に配設された回転槽とを有した槽体を、前記回転槽の回転中心軸線が水平または水平に対し傾くようにして配設し、前記槽体内の水を機外に排出する排水管路中に、前記槽体内の水の機外への排出を制御する排水制御手段と、該排水制御手段より上流側に位置されて前記排水管路を流れる水中からリントを捕獲するリントフィルタを着脱可能に有したリント捕獲装置とを設けたドラム式洗濯機において、
前記本体箱の内部下方に、前記リント捕獲装置を、前記本体箱の一側面近くに配設し、前記排水制御手段を、前記リント捕獲装置よりも下方で且つ前記リント捕獲装置から離れた位置に配設したことを特徴とするものである。
【発明の効果】
【０００６】
上記手段を採用した本発明によれば、リント捕獲装置が排水制御手段（排水弁や排水ポンプなどによって構成される。）よりも高い位置にあって、しかもリント捕獲装置と排水制御手段とは離れた位置関係にあるので、洗濯後に水槽に残った水が排水経路内に流れ出てきても、その水は排水経路中のリント捕獲装置と排水制御手段との間を接続している経路内に溜められるようになる。このため、リントフィルタを取り外した際に、水が外部に漏れ出ることを極力防止できる。
【発明を実施するための最良の形態】
【０００７】
以下、本発明の一実施例を乾燥機能付きドラム式洗濯機に適用して図面を参照しながら説明する。
まず、図２に基づきドラム式洗濯機全体の概略構成を説明する。図２に示すように、洗濯機の外殻を構成する本体箱１の内部には、水槽２および該水槽２内に同心的に収納された回転槽（ドラム）３からなる槽体４が、回転槽３の回転中心軸線Ｃを、本体箱１の前後方向に指向させると共に、水平に対して所定角度だけ傾けた状態にして配設されている。水槽２は、貯水可能な有底円筒状をなし、左右両側がピストン式のダンパ５および圧縮コイルばね６を主体とするサスペンション７を介して本体箱１に弾性支持されている。回転槽３は、周壁に多数の小孔３ａを有する有底円筒状をなし、水槽２に回転可能に支持されて洗濯から脱水を経て乾燥までを実行可能としている。
【０００８】
水槽２の上部外周には、循環風路８が設けられて、この循環風路８内に乾燥用の温風を生成するヒータ９および送風ファン装置からなる温風生成装置１１が配設されている。そして、乾燥時には、この温風生成装置１１により生成された温風が槽体４内に供給され回転槽３内の洗濯物を乾燥させる。また、水槽２の外底面（後部端面）には、洗濯機モータ１２が配設され、洗い、すすぎ、脱水および乾燥時に回転槽３を回転駆動する。
【０００９】
一方、本体箱１の前面部には、回転槽３に対する衣類の出入口１３が設けられていると共に、この出入口１３を開閉するドア１４が回動可能に取り付けられている。そして、本体箱１の出入口１３と水槽２の前面開口部との間は、ベローズ１５によって水密に連結され、また、出入口１３とドア１４との間は、ベローズ１５と一体のドアパッキン１６によってシールされるようになっている。
【００１０】
本体箱１の内部下方には、槽体４内の水を機外に排出するための排水経路としての排水管路１７が設けられている。この排水管路１７は、槽体４内の水を自然排水するためのもので、途中に、排水制御手段としての排水弁１８、この排水弁１８よりも上流側（槽体４側）に位置するリント捕獲装置１９が設けられている。排水弁１８は、図示しないモータなどの電動駆動源によって開放動作されるようになっており、省電力のために、洗濯後の排水時、および脱水時に開放される以外は閉じられた状態にある。
【００１１】
ここで、本体箱１の構成、リント捕獲装置１９の構成、排水弁１８とリント捕獲装置１９との配設位置について順に説明する。まず、本体箱１は、図３に示すように、基台２０、この基台２０上に固定された左右両側板２１，２２を備えている。これら左右の両側板２１，２２の前部には、基台２０との間に点検口２３を構成する隙間を残すようにして、両側板２１，２２間を連結する前補強板２４が固定され、更に、左側板２１の前下部と基台２０との間には、前部左下補強板２５が固定されている。一方、左右両側板２１，２２の後部には、図２に示すように、中間部に比較的大きな点検口２６を構成する隙間を残すようにして、両側板２１，２２間を連結する上下の後補強板２７ａ，２７ｂが固定されている。更に、左右両側板２１，２２の上部には、両者間を連結する天板２８が固定されている。
【００１２】
以上の基台２０を除く、左右両側板２１，２２、前補強板２４、前部左下補強板２５、上下の両後補強板２７ａ，２７ｂ、天板２８などによって本体箱１の主体である筺体２９が構成される。なお、基台２０および天板２８はプラスチック製、筺体２９を構成する左右両側板２１，２２、前補強板２４、前部左下補強板２５、上下の両後補強板２７ａ，２７ｂは金属（鉄板）製である。
【００１３】
そして、このように基台２０上に構成された筺体２９の前部には、図２に示すように、前補強板２４を覆うプラスチック製の前カバー３０が取り付けられ、天板２８には、これを覆うプラスチック製のトップカバー３１が取り付けられる。また、前カバー３０とトップカバー３１との間には、プラスチック製の操作パネル３２が取り付けられる。更に、本体箱１の前部には、その点検口２３を閉鎖するプラスチック製の前蓋３３がねじ止めなどによって着脱可能に取り付けられると共に、本体箱１の後部には、点検口２３を閉鎖する鉄板製の後蓋３４がねじ止めなどによって着脱可能に取り付けられる。
【００１４】
以上のように構成された本体箱１において、衣類の出入口１３が面する側面が前面となる。従って、この実施例において、回転槽３の回転中心軸線Ｃは、本体箱１の前後方向に指向しており、本体箱１の前側面（前面）と後側面（後面）とは回転槽３の回転中心軸線Ｃの指向方向に対向する両側面となり、左側面（左側板２１、基台２０の左側面壁２０ａ）と右側面（右側板２２、基台２０の右側面壁２０ｂ）とは回転槽３の径方向に対向する両側面となる。
因みに、前記衣類の出入口１３は前カバー３０に形成されており、前補強板２４には、出入口１３に連なる円形口３５が開口形成されている。そして、ドア１４は、前補強板２４に回動可能に支持されている。また、ドアパッキン１６と一体のベローズ１５は、前補強板２４に固定され、出入口１３と円形口３５との間もシールしている。
【００１５】
さて、前記リント捕獲装置１９は、図５に示すように、フィルタケース３６と、キャップ３７に取り付けられた例えば格子状のリントフィルタ３８とを備えている。上記フィルタケース３６は、水平方向に延びる円筒状のケース主体３９の上部に後ろ向きに突出する入口パイプ４０を一体形成する共に、後部に下向きに突出する出口パイプ４１を一体形成してなる。また、この実施例では、ケース主体３９の側部に、図４に示すように入口パイプ４０と出口パイプ４１との間に位置して循環ポンプ４２のケーシング４３が一体に形成されている。このケーシング４３の一側面は開放されており、この開放側面には、ケーシング側板４４が固定される。そして、このケーシング側板４４には、ケーシング４３内に収容されたベーン４２ａを回転駆動するためのモータ４５が取り付けられている。
【００１６】
上記リントフィルタ３８は、フィルタケース３６のケース主体３９内に取り出し可能に収納される。そして、ケース主体３９の前端部は、リントフィルタ３８の取り出しのために開口されて取出口４６とされている。この取出口４６の内周部にはねじ４６ａが形成されていると共に、キャップ３７の外周部には、この取出口４６のねじ４６ａに螺合するねじ３７ａが形成されていて、リントフィルタ３８をケース主体３９内に挿入した後、キャップ３７を回すと、両ねじ３７ａ，４６ａが螺合し、キャップ３７が取出口４６を閉鎖するようにしてケース主体３９に固定されようになっている。なお、キャップ３７の前面部には、回転操作用の摘み３７ｂが形成されている。また、キャップ３７には、ケース主体３９との間をシールするためのパッキン４７が取り付けられている。
【００１７】
上記リント捕獲装置１９のケース主体３９は、本体箱１の一側面を構成する前面（本実施例では前蓋３３）近くに位置するように基台２０の前部、中でも、回転槽３の径方向に対向する両側面である左右両側面壁２０ａ，２０ｂのうちの一方側、例えば左側面壁２０ａ側に寄せて、この実施例では左側面壁２０ａの近傍位置に固定される。このケース主体３９の固定のために、当該ケース主体３９の前部には、キャップ３７を囲むようにして前面開放形の矩形箱状をなす取付部４８が形成されている。また、基台２０側には、図７に示すように、その周側面の一部である前側面壁２０ｃの左端部分の上部を切り欠くようにして切欠部４９が形成されている。
【００１８】
そして、ケース主体３９は、取付部４８を基台２０の切欠部４９内に位置させるようにして後ろ向きにほぼ水平に配置され、図４に示すように取付部４８の右側部に一体に形成された固定片４８ａがねじ止めによって基台２０の前側面壁２０ｃ上端に固定されている。なお、ケーシング４３にも固定片（図示せず）が一体に形成され、この固定片もねじ止めによって基台２０に固定されている。このようにしてリント捕獲装置１９が本体箱１内の下方部の前部に左側面側に寄せて固定されている。
【００１９】
前記排水弁１８は、図１に示すように、基台２０の内底部の前部に、本体箱１の左右方向の略中央（回転槽３の回転中心軸線Ｃの真下付近）に位置するようにしてねじ止めなどによって固定されている。この排水弁１８の固定位置は、図１に示すように、リント捕獲装置１９よりも下方であって、且つ当該リント捕獲装置１９からリント捕獲装置１９から回転槽３の回転中心軸線Ｃ側に離れた位置となる。そして、リント捕獲装置１９のケース主体３９と水槽２の排水口５０との間、ケース主体３９と排水弁１８との間には、それぞれ落差Ｌ１，Ｌ２が設けられているが、前者の方が後者よりも高く（Ｌ１＞Ｌ２）設定されている。
【００２０】
ここで、本体箱１の左右両側板２１，２２のうち、左側板２１の下側部分は、前部左下補強板２５によって補強がなされているが、右側板２２には、前部左下補強板２５のような補強板が取り付けられていない。このため、右側板２２の下側部分についても、左側板２１と同様の補強をなすべく、矩形箱状のコントロールボックス５１が右側板２２と基台２０との間にねじ止めなどによって固定されている。なお、上記コントロールボックス５１内には、操作パネル３２に設けられた図示しないスイッチの操作信号に基づいて、洗濯運転や乾燥運転を行うために、洗濯機モータ１２や温風生成装置１１のヒータ９、送風ファン装置１０を制御するためのマイコン、その周辺回路などが収納されている。
【００２１】
上記のように固定されたコントロールボックス５１の配設位置は、本体箱１内の下方部前部のうち、回転槽３の径方向に対向する本体箱１の左右両側面のうち、リント捕獲装置１９の固定位置とは反対側の右側面側に寄せた位置となっている。この結果、図１に示すように、円筒状の水槽２の円形周壁に沿うようにしてリント捕獲装置１９、排水弁１８、コントロールボックス５１が配置され、高位に設けられるリント捕獲装置１９と背の高いコントロールボックス５１とが比較的空間的に余裕のある左右両側、背が余り高くなく低位に設けられる排水弁１８が空間的に余裕のない中央部に設けられることとなって点検口２３をできるだけ塞ぐことのないようにしている。
【００２２】
本体箱１の内部下方に固定されたリント捕獲装置１９において、図５、図６に示すように、そのケース主体３９の取付部４８は、本体箱１の前蓋３３に近接している。そして、前蓋３３には、そのケース主体３９の取付部４８に連通する矩形状の開口部５２が形成されており、この開口部５２は前蓋３３に回動可能に支持された扉板５３によって開閉されるようになっている。この場合、リント捕獲装置１９のリントフィルタ３８の取り出し部分である開口部５２、ひいてはこれを開閉する扉板５３の下端は、基台２０の脚２０ｄの下端からの高さＨが９０ｍｍ以上となるように設定されている。
【００２３】
次に、排水管路１７において、リント捕獲装置１９のケース主体３９の入口パイプ４０には、一端側を水槽２の排水口５０に接続した第１の排水管５４の他端側が接続されている。この第１の排水管５４は、ゴムなどの弾性材製で、例えば２箇所において蛇腹状に形成されている。この蛇腹状部５４ａ，５４ｂによって槽体４の横振れや縦振れなどがより良く吸収され、第１の排水管５４の外れなどが防止される。
【００２４】
また、ケース主体３９の出口パイプ４１と排水弁１８の入水部との間は、ほぼＬ字形に形成された第２の排水管５５によって接続されている。そして、排水弁１８の出水部には、第３の排水管５６が接続されている。この第３の排水管５６には、複数箇所に蛇腹状部５６ａが設けられており、この蛇腹状部５６ａによって第３の排水管５６の向きを左右に自在に変えることができるようになっている。この場合、左右に位置変えされる第３の排水管５６を支えるために、基台２０には、一対の弾性爪片５７ａ，５７ｂからなる保持部５７が排水弁１８の左右両側に位置して形成されている。
【００２５】
本体箱１の基台２０の左右両側面壁２０ａ，２０ｂには、排水弁１８と略同一の高さ位置に引出口５８，５９が形成されており、家庭の排水パン（図示せず）の下水口６０の位置に応じて、第３の排水管５６に接続された第４の排水管６１がこれら引出口５８，５９のいずれかから機外に引き出されるようになっている。また、家庭によっては洗濯機を設置する排水パンの下水口６０が基台２０の内側に来る場合があるので、この場合を考慮して第４の排水管６１を基台２０内に導入して当該第４の排水管６１の先端出口を下水口６０に差し込むことができるようになっている。
【００２６】
このように第４の排水管６１を基台２０内に導入する場合、第４の排水管６１が比較的長いので、図８に示すように基台２０内を後方に引き回して下水口６０へ至らしめるようにしている。そして、基台２０には、第４の排水管６１を後方に引き回す際に、当該第４の排水管６１を支えるために、前記保持部５７と同様の一対の弾性爪片６２ａ，６２ｂからなる保持部６２が複数形成されている。
【００２７】
なお、前記循環ポンプ４２は、洗濯時に駆動されて槽体４内の洗濯水を循環させるもので、そのケーシング４３の吐出部は、循環用ホース６３によって水槽２の上部に接続されている。また、水槽２には溢水口６４が形成されており、この溢水口６４は、溢水用ホース６５を介して排水弁１８の出水部に設けられた分岐部に接続されている。
【００２８】
次に上記構成の作用を説明する。洗濯時には、排水弁１８は閉じており、給水が行われると、槽体４内に洗濯水が貯留される。この状態で、回転槽３が回転駆動され、洗濯が行われる。この洗濯中、循環ポンプ４２が駆動されるため、槽体４内の洗濯水が第１の排水管５４、リント捕獲装置１９のケース主体３９、循環ポンプ４２、循環用ホース６３を介して循環する。この洗濯水の循環中において、水中のリントはリント捕獲装置１９のケース主体３９を通る際にリントフィルタ３８に捕獲される。
【００２９】
洗濯が終了すると、排水弁１８が開放される。このため、槽体４内の洗濯水が第１の排水管５４、ケース主体３９、第２の排水管５５、排水弁１８、第３の排水管５６、第４の排水管６１を通って下水口６０へと排出される。この排水時、排水中に含まれるリントは、リントフィルタ３８に捕獲される。洗濯後の排水が終了すると、回転槽３が高速度で回転駆動される脱水が行われる。この脱水時においても、排水弁１８は開放されていて洗濯物から振り切られた水は上述の経路を辿って下水口６０へと排出される。このときも同様に水中のリントはリントフィルタ３８によって捕獲される。そして、脱水が終了すると、排水弁１８は閉じられる。すすぎ後の脱水が終了すると、槽体４内に温風生成装置１１から温風を供給しながら回転槽３を回転駆動する乾燥運転が行われ、この乾燥運転の終了をもって洗いから乾燥までの運転を終了する。
【００３０】
上述のように脱水が終了すると、排水弁１８は閉じられるため、脱水の終了時に槽体４内や排水口５０から排水弁１８に至るまでの排水管路１７内に水が残って場合、その水は、排水管路１７内を流れて排水弁１８まで行き着くと、そこで止められて当該排水弁１８から第２の排水管５５へと順に上流側の管路内に溜められてゆくようになる。
【００３１】
特に、すすぎ後の脱水が終了したときに、排水弁１８から上流側の排水管路１７内に溜まった水は、乾燥運転が終了してもそのまま残された状態となる。このため、仮に排水弁１８とリント捕獲装置１９とが同じ高さ位置に設けられていたとすると、第２の排水管５５が水平に配設された直管となるので、排水弁１８によって止められて排水管路１７内に残った水は、リント捕獲装置１９のケース主体３９にも浸入する。従って、掃除のためにリントフィルタ３８をケース主体３９から取り外すと、水が取出口４６から外部に漏れ出るようになる。
【００３２】
しかしながら、本実施例では、排水弁１８をリント捕獲装置１９よりも下方に配置したので、排水弁１８で止められた水は、まず第２の排水管５５内に溜められ、そして当該第２の排水管５５内での水位を次第に上昇させてゆくようになる。この場合、排水弁１８がリント捕獲装置１９から離して配置されているため、両者を繋ぐ第２の排水管５５の長さも比較的長くなり、その内容積も大きなものとなる。しかも、本実施例では、特に、第２の排水管５５をＬ字形にしたので、直管を傾斜状態に配設した場合よりも更に長さが長くなってその内容積も増加する。
【００３３】
このため、第２の排水管５５の貯水容量は大きく、槽体４内などに残っていた水が相当量あっても、第２の排水管５５が満水となってリント捕獲装置１９内に浸入することは、極くまれなこととなる。従って、通常の状況においては、脱水後に槽体４内に残った水は、第２の排水管５５内に溜められるに止まり、リント捕獲装置１９内にまで浸入する恐れはなく、リントフィルタ３８を掃除するために、キャップ３７を取出口４６から外しても、そこから水が外部に漏れ出るといった恐れはない。
【００３４】
ところで、排水弁１８の排水性能は、水槽２の排水口５０と排水弁１８との落差Ｌ（Ｌ１＋Ｌ２）によって定まるが、この落差は無制限に大きくすることは勿論できない。この制限ある落差の中で、リント捕獲装置１９の高さをどのように定めるかについて、本実施例では、排水口５０と排水弁１８との落差Ｌ内において、排水口５０とリント捕獲装置１９との間の落差Ｌ１をリント捕獲装置１９と排水弁１８との間の落差Ｌ２よりも大きくした（Ｌ１＞Ｌ２）。このように定めた理由は次の通りである。
【００３５】
即ち、水槽２の排水口５０とリント捕獲装置１９とを接続する第１の排水管５４は、槽体４の振れ動きを吸収するためにゴムなどの弾性材により製造され、特に本実施例では蛇腹状部５４ａ，５４ｂが設けられている。排水時、この弾性材からなる第１の排水管５４は、中を流れる水の重量によって下方に撓む。すると、排水の終了時（排水弁１８の閉時）に第１の排水管５４の内部に残る水の量が多くなる。この場合、排水口５０とリント捕獲装置１９との間の落差Ｌ１が大きければ、それだけ第１の排水管５４のフィルタケース３６の入口パイプ４０より下方へ撓む量が小さくなるので、排水の終了時に第１の排水管５４内に残る水の量を減らすことができる。
【００３６】
これに関連して、本実施例では、基台２０の前側面壁２０ｃの上部を切り欠いて切欠部４９を形成し、ここにリント捕獲装置１９の取付部４８を配置するようにしたので、切欠部４９を設けることなく取付部４８を前側面壁２０ｃの上端に載せて固定する場合に比べてリント捕獲装置１９を低い位置に配設することができる。このようにすることによって、排水口５０とリント捕獲装置１９との間の落差Ｌ１をリント捕獲装置１９と排水弁１８との間の落差Ｌ２よりも大きくする構成を容易に実現することができる。
【００３７】
また、リントフィルタ３８を取り外す場合には、まず前蓋３３の扉板５３を開き、そして摘み３７ｂを摘んでキャップ３７を回し、当該キャップ３７を取出口４６から取り外す。すると、キャップ３７に取り付けられているリントフィルタ３８をケース主体３９内から取り出すことができる。このようにリントフィルタ３８の掃除をするには、前蓋３３に設けられている扉板５３を開かねばならない。ところが、洗濯機は一般に防水パン内に置かれることが多く、リント捕獲装置１９を余り低い位置に設けると、当然、扉板５３の位置も低くなり、防水パンの周囲の防水壁が邪魔になって扉板５３を開くことができなくなってしまう恐れがある。
【００３８】
然るに、本実施例によれば、リント捕獲装置１９のリントフィルタ３８の取り出し部分である前蓋３３の開口部５２の下端（扉板５３の下端）の高さ位置を、本体箱１の下端、つまり基台２０の底部から下方に突出する脚２０ｄの下端から９０ｍｍ以上となるように、キャップ３７の下端の高さ位置を設定した。このようにすることにより、通常の防水パンでは、その周囲の防水壁の高さが９０ｍｍを越えるものはないので、防水パンの防水壁によってリンタフィルタ３８の着脱が妨げられる恐れはない。
【００３９】
更に、本実施例では、本体箱１内の前部の左右両側にリント捕獲装置１９およびコントロールボックス５１を配設し、中央部に排水弁１８を配設したので、点検口２３から本体箱１内に手を差し入れて行う作業、例えば、第３の排水管５６の方向を変えたり、第４の排水管６１を基台２０内で引き回したり、排水弁１８を点検したりする作業し易くなる。
即ち、従来では、コントロールボックス５１は、基台２０の前部に横長にして配置されていた。これでは、点検口２３がコントロールボックス５１によって大きく塞がれるため、点検口２３を通じて行う作業がし難い。しかしながら、本実施例では、点検口２３を広く取れるので、そのような不具合は生じない。
【００４０】
なお、本発明は上記し且つ図面に示す実施例に限定されるものではなく、以下のような拡張或いは変更が可能である。
回転槽３の回転中心軸線Ｃは、水平としても良い。
槽体４は、本体箱１内に回転槽３の回転中心軸線Ｃが左右方向に指向するように配設しても良い。
乾燥機能は無くても良い。
排水弁１８に代えて、排水ポンプ（排水制御手段）としても良い。この場合、排水ポンプの吐出口に接続される排水管路は、途中部分を水槽２内に溜める水位よりも上方に上げることによって水槽２内に水が溜められるようにする。
【図面の簡単な説明】
【００４１】
【図１】本発明の一実施例を示すもので、主要部品の配置関係を示す概略的なドラム式洗濯機の正面図
【図２】ドラム式洗濯機の縦断側面図
【図３】基台と共に示す筺体の正面図
【図４】基台と排水管路の斜視図
【図５】リント捕獲装置部分の縦断側面図
【図６】リントフィルタの取り出し部分を示す斜視図
【図７】リントフィルタの取り付け部分の斜視図
【図８】排水管路を基台内に納めた斜視図
【符号の説明】
【００４２】
図面中、１は本体箱、２は水槽、３は回転槽、４は槽体、１３は衣類の出入口、１４はドア、１７は排水管路、１８は排水弁（排水制御手段）、１９はリント捕獲装置、２０は基台、２９は筺体、３６はフィルタケース、３８はリントフィルタ、４９は切欠部、５０は排水口、５１はコントロールボックス、５２は開口部（リントフィルタの取り出し部分）、５４ないし５６は第１ないし第３の排水管、６１は第４の排水管である。
【図１】
2006204717.tif 000003
【図２】
2006204717.tif 000004
【図３】
2006204717.tif 000005
【図４】
2006204717.tif 000006
【図５】
2006204717.tif 000007
【図６】
2006204717.tif 000008
【図７】
2006204717.tif 000009
【図８】
2006204717.tif 000010